(57)【要約】      （修正有）【課題】網戸枠に屋内側から枠付きネットを面ファスナーで着脱する網戸において、枠付きネットの洗浄等の作業者には容易に着脱操作できるが、他の者ではそれが簡単に外れることがないようにした取付構造を提供する。【解決手段】方形に枠組みされた網戸枠における枠材２，３の屋内側に設けた平面部７ａに第１の面ファスナー片１０ａを固定し、その面ファスナー片に取り付ける枠付きネット１３は、可撓性の基布上に植設した係合子１１ｂにより第１の面ファスナー片に係合する第２の面ファスナー片をネット１４の四周に接合し、ネットの四隅の基布の重合部に、板状のコーナー部片１８を取り付けて構成する。コーナー部片は、隅部を斜めに切除すると共に薄肉化し、爪先が掛け止め可能なものとし、コーナー部片の内面側において、隅側部位の係合子１１ｂの接合を無機能化している。【選択図】図２
0003216601.tif 000002
【実用新案登録請求の範囲】
【請求項１】
枠材が方形に枠組みされて、建物開口部の障子よりも屋外側に設置される金属製の網戸枠を備え、該網戸枠における四周の枠材の内周側で該網戸枠の屋外面側に近い部位から面ファスナー取付用の平面部を枠内側に向けて形成し、該平面部に一対の面ファスナーの一方である第１の面ファスナー片を固定し、
一方、上記網戸枠の平面部に上記第１の面ファスナー片を介して着脱可能に取り付ける枠付きネットは、化学繊維製の可撓性の基布上に密に植設した係合子が上記第１の面ファスナー片の係合子に係合するテープ状の第２の面ファスナー片を、網戸用のネットの四周に配設して、上記基布の内側に沿って設けた連結代を該ネットの周囲に接合すると共に、上記ネットの四隅における上記第２の面ファスナー片の基布端の重合部に、それらを覆う合成樹脂製の板状のコーナー部片を取り付けることにより構成され、
該コーナー部片の表面は、上記網戸枠の四周の枠材の交差部における屋内側表面から大きい段差で落ち込んだ部位に位置させ、
該コーナー部片を取り付けた枠付きネットは、その隅部における上記コーナー部片が、上記網戸枠における四周の枠材の交差部に対向する隅部を斜めに切除すると共に薄肉化することにより、その切除縁を爪先が掛け止め可能なものとし、しかも、上記交差部の両枠材との間を指先が挿入できない間隔にしたうえで、上記コーナー部片の内面側において、網戸枠の枠材の交差部に近い部位の面ファスナーの係合子の接合を無機能化している、
ことを特徴とする網戸。
【請求項２】
上記網戸枠における枠材の平面部に対する第１の面ファスナー片の固定を、該平面部における第１の面ファスナー片の取付位置の両側に沿って突設している固定用突条の内側への屈曲による該面ファスナー片の側端の挟着によって行っている、
ことを特徴とする請求項１に記載の網戸。
【請求項３】
上記枠付きネットが、グラスファイバーにＰＶＣコーティングしたネットの四周を、ナイロン製の第２の面ファスナー片における可撓性基布の連結代と、ＰＶＣコーティングしたナイロンからなる補強シートとの間に挟持させて、それらを溶着することにより上記ネットの周囲に上記第２の面ファスナー片が接合されており、更に、上記ネットの四隅における上記第２の面ファスナー片の基布端の重合部に、それらを覆う合ナイロン製の板状のコーナー部片を溶着することにより構成されている、
ことを特徴とする請求項１又は２に記載の網戸。
【請求項４】
上記枠付きネットにおいて、四周のネット枠の１辺又は対向２辺における第２の面ファスナー片を芯にして網戸用のネットを丸めた際に、その巻軸が湾曲しないように、上記ネット枠の１辺又は対向２辺における第２の面ファスナー片を、合成樹脂製補強材によって補強している、
ことを特徴とする請求項１〜３のいずれかに記載の網戸。
【考案の詳細な説明】
【技術分野】
【０００１】
本考案は、建物開口部に取り付ける網戸用のネットを、洗浄や交換のために屋内側から容易に着脱できるように取り付けた網戸に関するものであり、更に具体的には、該網戸用のネットの取付構造に関するものである。
【背景技術】
【０００２】
近年、中高層の集合住宅等に設置される網戸の落下防止やメンテナンスの容易化のために、網戸枠を建物開口部枠に固定的に設置して、ネットを洗浄や交換のために網戸枠に対して屋内側から容易に着脱可能にすることが求められ、それを簡易に行えるようにしたものが種々提案されている。また、このような網戸は、中高層の集合住宅だけでなく、一般的な住宅等において用いられているところの網戸枠の屋外側面にネットの固定を行うものについても、該網戸枠の屋内側からの簡易な作業でネットの着脱や交換を行えるようにすることが望まれている。
【０００３】
このような網戸を建物開口部枠等に設置し、ネットを洗浄や交換のために方形の網戸枠に屋内側から容易に着脱可能にしたものとしては、例えば、特許文献１や特許文献２を含む多数の文献に開示されているように、網戸枠に対してネットを屋内側から面ファスナーで着脱可能にしたものが、また、上記ネットの周囲に補強のために取り付けておくネット枠としては、合成樹脂製で或る程度弾性的に湾曲可能な板材や、化学繊維製の布帛等の可撓性においてすぐれた帯状材等を用い、それらをネットの周辺に固定すると共に、そのネット枠に上記面ファスナーを固定して、枠付きネットの取り扱いを至便にしたものなどが提案されている。
【０００４】
上述したように、網戸枠に対してネットを屋内側から面ファスナーで着脱可能にしたものは、網戸枠に対する枠付きネットの取付時における取扱上の利便性や、ネットの交換作業を行う際の安全性において優れている。しかしながら、該ネットの交換等のために行う網戸枠からの枠付きネットの取り外し作業の簡便性を重要視して、該枠付きネットを非常に取り外し易いものにすると、それが近くで動く人体の一部や被服と接触してその係合が外れたり、幼児やペットのいたずら等によっても簡単に外れて危険な状態になることもあり、そのため、該面ファスナーの設置態様について十分に配慮し、不測の事態でみだりに枠付きネットが離脱しないような態様でありながら、ネットの洗浄や交換等を行う作業者には比較的簡単に取り外しできるように配慮し、また，網戸枠に対する枠付きネットの取り付けも、比較的容易に所期の位置に正確で、しかもネットを緊張させた状態で固定できるような構成であることが望まれる。
【先行技術文献】
【特許文献】
【０００５】
【特許文献１】実開昭６２−１０１９９８号公報
【特許文献２】特開２００９−２３５７０５号公報
【考案の概要】
【考案が解決しようとする課題】
【０００６】
上記背景技術に鑑み、本考案の技術的課題は、建物開口部の網戸枠に屋内側から枠付きネットを面ファスナーで着脱する網戸において、該枠付きネットの洗浄や交換の作業を行う者にとっては着脱に支障を来さないが、網戸の近くで動く人体の一部や被服と接触してその係合が簡単に外れることがないようにし、更に、枠付きネットの取り付けに際しても可及的にそのネットを綺麗に張設することを可能にした枠付きネットの取付構造を提供することにある。
【課題を解決するための手段】
【０００７】
上記課題を解決するため、本考案によれば、枠材が方形に枠組みされて、建物開口部の障子よりも屋外側に設置される金属製の網戸枠を備え、該網戸枠における四周の枠材の内周側で該網戸枠の屋外面側に近い部位から面ファスナー取付用の平面部を枠内側に向けて形成し、該平面部に一対の面ファスナーの一方である第１の面ファスナー片を固定し、一方、上記網戸枠の平面部に上記第１の面ファスナー片を介して着脱可能に取り付ける枠付きネットは、化学繊維製の可撓性の基布上に密に植設した係合子が上記第１の面ファスナー片の係合子に係合するテープ状の第２の面ファスナー片を、網戸用のネットの四周に配設して、上記基布の内側に沿って設けた連結代を該ネットの周囲に接合すると共に、上記ネットの四隅における上記第２の面ファスナー片の基布端の重合部に、それらを覆う合成樹脂製の板状のコーナー部片を取り付けることにより構成され、該コーナー部片の表面は、上記網戸枠の四周の枠材の交差部における屋内側表面から大きい段差で落ち込んだ部位に位置させ、該コーナー部片を取り付けた枠付きネットは、その隅部における上記コーナー部片が、上記網戸枠における四周の枠材の交差部に対向する隅部を斜めに切除すると共に薄肉化することにより、その切除縁を爪先が掛け止め可能なものとし、しかも、上記交差部の両枠材との間を指先が挿入できない間隔にしたうえで、上記コーナー部片の内面側において、網戸枠の枠材の交差部に近い部位の面ファスナーの係合子の接合を無機能化していることを特徴とする網戸が提供される。
【０００８】
上記構成を備えた網戸において、その枠付きネットの隅部に取り付けた上記コーナー部片は、網戸枠における四周の枠材の交差部に対向する隅部の切除縁のみが爪先に掛け止め可能であり、しかも、該コーナー部片の内面側においては、網戸枠の枠材の交差部に近い部位の面ファスナーの係合子の切除或いは溶融等により、該係合子による接合を無機能化しているので、コーナー部片自体を容易に起立させて、枠付きネットを引き上げることができる。しかるに、該コーナー部片の表面は網戸枠の屋内側表面から大きい段差で落ち込んだ部位に位置させていて、他物に引っ掛かるような構成を備えていないので、不測の事態でみだりに枠付きネットが離脱するようなことはない。
【０００９】
また、枠付きネットを網戸枠に取り付けるに際しては、上述したところから分かるように、ネット枠の各辺を構成する第２の面ファスナー片の両端にそれぞれ上記コーナー部片を取り付けているので、その一対のコーナー部片を左右に引っ張りながら、網戸枠に取り付けている第１の面ファスナー片に対して重ねて取り付けることにより、ネットを緊張状態で綺麗に張設することができる。
【００１０】
本考案に係る上記網戸の好ましい実施形態においては、上記網戸枠における枠材の平面部に対する第１の面ファスナー片の固定を、該平面部における第１の面ファスナー片の取付位置の両側に沿って突設している固定用突条の内側への屈曲による該面ファスナー片の側端の挟着によって行われる。このような構成は、屋外の過酷な自然環境に置かれる網戸枠への面ファスナーの固定を長期的に安定させるために特に有効なものである。
【００１１】
また、本考案に係る上記網戸の他の好ましい実施形態においては、上記枠付きネットが、グラスファイバーにＰＶＣコーティングしたネットの四周を、ナイロン製の第２の面ファスナー片における可撓性基布の連結代と、ＰＶＣコーティングしたナイロンからなる補強シートとの間に挟持させて、それらを溶着することにより上記ネットの周囲に上記第２の面ファスナー片が接合されており、更に、上記ネットの四隅における上記第２の面ファスナー片の基布端の重合部に、それらを覆う合ナイロン製の板状のコーナー部片を溶着することにより構成される。このような構成は、各部材の安定的で強固な接合を得るために有効なものである。
【００１２】
前述したように、枠付きネットにおけるネット枠を、可撓性の基布に係合子を植設したテープ状の第２の面ファスナー片によって構成し、それを網戸用のネットの四周に配設して上記基布の内側の連結代を該ネットの周囲に接合すると、枠付きネットが全体的に柔軟な可撓性を有するものとして構成されるので、網戸のネットをそれが汚れたときの洗浄に非常に適したものにすることができる。しかも、網戸の製造販売業者における製品の保管、販売先への搬送等を、網戸枠と同程度に面積的に大きく形成されて折り畳み等の小型化が不能な製品の場合と比べれば、枠付きネットを丸めたり畳んだりして保管、搬送するのが非常に効率的であって、コスト的にも有利になることは明らかである。
【００１３】
しかしながら、逆に、面積が比較的大きくて全面的に可撓性がある網戸用のネットを網戸枠に取り付けるような場合には、該ネットの周辺に面ファスナーが取り付けられているとしても、最初に網戸枠に対しネットの１辺の第２の面ファスナー片を取り付ける際に、ネットをできるだけピンと張った状態で、位置的にずれるようなことなく直線的に取り付けるには或る程度の困難性があり、その最初の１辺が適切に取り付けられていないと、その後の各辺が最初の１辺の取付位置を基準として順次取り付けられるので、全体的に乱れたものになる。
【００１４】
このような問題に対応するため、本考案に係る上記網戸の他の好ましい実施形態においては、上記枠付きネットにおいて、四周のネット枠の１辺又は対向２辺における第２の面ファスナー片を芯にして網戸用のネットを丸めた際に、その巻軸が湾曲しないように、上記ネット枠の１辺又は対向２辺における第２の面ファスナー片を、合成樹脂製補強材によって補強しているものとして、取り扱いを至便に構成することもできる。
【００１５】
即ち、第２の面ファスナー片を、必要に応じて、上記合成樹脂製補強材によって補強すると、その補強した第２の面ファスナー片を芯にして、網戸用のネットを丸めることにより、その巻軸が湾曲しないように保持させることができる。また、枠付きネットを網戸枠に取り付ける際に、上記補強を行った辺の第２の面ファスナー片から網戸枠への取り付けを開始すれば、当該第２の面ファスナー片がネットを緊張状態に保っているので、第２の面ファスナー片を比較的容易に所期の位置に正確に、且つネットを緊張させた状態で固定でき、しかも、最初の第２の面ファスナー片を固定した後は、その取付位置を基準にして他の各辺の取り付けを行うことができるので、ネットを全体的に綺麗に張設することが可能になる。なお、上記ネット枠の第２の面ファスナー片の補強は、該ネット枠の１辺の第２の面ファスナー片のみでもよいが、ネット枠の対向２辺における第２の面ファスナー片を対象にしてもよい。
【考案の効果】
【００１６】
以上に詳述した本考案の網戸によれば、建物開口部の網戸枠に屋内側から枠付きネットを面ファスナーで着脱する網戸において、該枠付きネットの洗浄や交換の作業を行う者にとっては着脱に支障を来さないが、網戸の近くで動く人体の一部や被服と接触してその係合が簡単に外れることがないようにし、更に、枠付きネットの取り付けに際しても可及的にそのネットを綺麗に張設することを可能にした枠付きネットの取付構造を得ることができる。
【図面の簡単な説明】
【００１７】
【図１】本考案に係る網戸の実施例における網戸枠の構成を、一部を分解して示す斜視図である。
【図２】上記網戸枠の枠材に取り付けた第１の面ファスナー片と枠付きネットに取り付けた第２の面ファスナー片とを接合させた状態を示す要部拡大縦断面図である。
【図３】上記網戸枠に取り付ける枠付きネットの構成を示す分解斜視図である。
【図４】枠付きネットの四隅に取り付けているコーナー部片の構成を示し、（ａ）はその正面図、（ｂ）はその背面図、（ｃ）は上記（ａ）におけるＣ−Ｃ位置での断面図、（ｄ）は上記（ａ）におけるＤ−Ｄ位置での断面図である。
【図５】上記枠付きネットにおける網戸枠への取付面側から見た正面図である。
【考案を実施するための形態】
【００１８】
図面は、本考案に係る網戸の実施例を示すもので、この網戸を備える建物開口部においては、図１に示すように、各一対の縦及び横の枠材２，３における両端の連結によって方形に枠組みされた網戸枠１に、後述する枠付きネット１３を装着することにより、上記網戸が構成される。上記網戸枠１は、それらを建物の躯体に固定的に取り付けることもできるが、該躯体に設けたサッシ等における開閉自在の障子の屋外側に設けられたレールに沿って開閉自在なものとして設置することもできる。
なお、図１の網戸枠１は、その左手前側に建物開口部の障子が存在し、右前方側を建物の屋外側に向けて設置するものとして描いている。
【００１９】
上記縦横の枠材２，３により枠組みされる網戸枠１の構成について更に具体的に説明すると、該網戸枠１の枠材２，３は、汎用の耐久性あるアルミニウム系金属の押出し型材で形成され、図１において明瞭に示すように、それらの枠材の本体部４，５と、該本体部からそれらの枠組み時の内周側で該網戸枠１の屋外面側に近い部位から、その屋内面側に面ファスナー取付用の平面部６ａ，７ａを形成して延出させたところの、ネット取付用の延出部６，７とを備えている。
【００２０】
なお、上記網戸枠１の枠材２，３は、本考案に係る網戸を新しい建物の網戸枠に設置する場合のものとして図示しているが、本考案に係る網戸は、既設の建物における網戸枠にも設置することができ、その場合に、既設の網戸枠における上記本体部４，５に対応する部位によって囲まれた網戸枠の内側に、上記面ファスナー取付用の平面部６ａ，７ａを有するネット取付用の延出部６，７が存在しなければ、該延出部６，７に相当するものを既設の本体部に強固に付設すればよい。
【００２１】
上記縦横の枠材２，３の両端部を相互に連結するコーナー部においては、縦の枠材２の上下両端部における本体部４及び延出部６の各一部を切除することにより本体部４内に形成した嵌入溝２ａに対して、横の枠材３の端部３ａを嵌入し、横の枠材３内に形成しているビスポケット３ｂに対して、縦の枠材２の内壁２ｂに設けたビス孔を通してビスを螺挿するなどの手段で、縦横の枠材２，３を各コーナー部において連結することにより、網戸枠１を方形に枠組みしている。
【００２２】
一方、上記縦横の枠材２，３の各延出部６，７に設けた平面部６ａ，７ａは、枠材２，３に対して図３及び図５に示すような防虫用のネット１４を備えた枠付きネット１３を着脱自在に張設するためのもので、図１及び図２に示すように、一対の面ファスナーの一方である第１の面ファスナー片１０ａを取り付ける取付位置の両側に沿って、該面ファスナー片１０ａを固定するための固定用突条８を、互いに内向きに屈曲させてそれぞれ突設している。この固定用突条８による第１の面ファスナー片１０ａの固定は、上記一対の固定用突条８の間の平面部６ａ，７ａ上に第１の面ファスナー片１０ａを配置した状態において、該固定用突条８の先端部を押圧ローラ等の工具により内側に屈曲させ、該第１の面ファスナー片１０ａの両側端縁を上記平面部６ａ，７ａとの間に挟着させることにより行うものである。
【００２３】
なお、縦の枠材２の延出部６に設けた平面部６ａに対して第１の面ファスナー片１０ａを取り付けるための固定用突条８等を含む取付構造自体は、図１及び図２に示しているところと全く変わるところがないので、その詳細な図示及び説明は省略している。
【００２４】
上記縦横の枠材２，３に取り付けた第１の面ファスナー片１０ａは、図２，３及び図５に示すような枠付きネット１３を、上記第１の面ファスナー片１０ａと対をなす第２の面ファスナー片１０ｂによって取り付けるためのものである。
なお、上記面ファスナーは、一般的に、相互の接合により係合させ得る多数のフック状とパイル状の互いに係合する係合子１１ａ，１１ｂが密に植設されたものとして構成されているが、上記第１及び第２の面ファスナー片１０ａ，１０ｂとしては、それらの何れを選択してもよい。しかしながら、例えば、網戸枠１の枠材２，３に取り付ける第１の面ファスナー片１０ａとしては、手触りのよいパイル状の係合子であることが望まれるが、網戸枠１の枠材２，３が屋外の劣悪な環境に置かれることから、その環境に耐えるものであることも望まれる。
【００２５】
次に、上記網戸枠１の枠材２，３に取り付けた第１の面ファスナー片１０ａを介して、該網戸枠１に着脱可能に取り付けられる上記枠付きネット１３の構成について、図２〜図５を参照して具体的に説明する。
上記枠付きネット１３は、図３及び図５に示しているように、上記第１の面ファスナー片１０ａの係合子１１ａに係合するテープ状の第２の面ファスナー片１０ｂを網戸用のネット１４の四周に接合することにより、該ネット１４の周囲を補強するネット枠１５を構成させている。該第２の面ファスナー片１０ｂは、ナイロン等の化学繊維製の可撓性ある基布１２上に係合子１１ｂを密に植設することにより構成したものである。
【００２６】
上記第２の面ファスナー片１０ｂとネット１４との接合は、具体的には、該第２の面ファスナー片における基布１２上のネット１４側に沿って設けた連結代１２ａの上に、上記ネット１４の周縁を載置し、その上に載置した補強シート１６との間に上記ネット１４の周縁を挟持させて、それらを全体的に溶着することによって行い、上記ネットの周囲の連結代１２ａにそれぞれ第２の面ファスナー片１０ｂを接合すると共に、該第２の面ファスナー片の各端部を順次連結することにより、該ネット１４の周囲に方形のネット枠１５を形成させている。
【００２７】
具体的に、上記ネット１４の素材は、グラスファイバーにＰＶＣコーティングしたものとするのが望ましく、また、第２の面ファスナー片１０ｂはナイロン製とし、更に、上記第２の面ファスナー片１０ｂにおける基布１２（ナイロン）のネット１４側に設けた連結代１２ａをネット１４の周辺に接合するためには、上記ネット１４がグラスファイバーにＰＶＣコーティングされているにしても、その安定的な溶着には困難性があるため、つなぎ材として、ＰＶＣコーティングされたナイロンシートからなる補強シート１６をその上に載置して、それらの積層物を一体的に溶着することが望まれる。
【００２８】
上記ネット１４の四隅における上記第２の面ファスナー片１０ｂの基布１２の端部の重合部には、それらを覆うように、図４に示すような合成樹脂製の板状のコーナー部片１８を取り付けている。前述したように、枠材２，３の本体部４，５からネット取付用の延出部６，７を枠組みの内周側に延出させる際に、該本体部４，５における網戸枠１の屋外面側に近い部位から該延出部６，７を突出させているので（図２参照）、上記コーナー部片１８は、その表面が網戸枠１の四周の枠材２，３の交差部における屋内側表面から大きい段差で落ち込んだ部位に位置することになり、また、該コーナー部片１８は他物に引っ掛かるような構成を備えていないので、仮に該コーナー部片１８が網戸枠１から少し浮き上がった位置にあったとしても、不測の事態でみだりに枠付きネットが離脱するようなことはない。
【００２９】
図４を参照して、該コーナー部片１８及びそれを取り付けた枠付きネット１３の構成について更に具体的に説明すると、該枠付きネット１３の隅部に取り付けている上記コーナー部片１８は、上記網戸枠１における四周の枠材２，３の交差部に対向する隅部１８ａを斜めに切除すると共に、該隅部の裏面１８ｂ側を薄肉化することにより、その切除縁を爪先が掛け止め可能なものとして構成したうえで、該コーナー部片１８の内面側において、網戸枠１の枠材２，３の交差部に近い隅側部位１９における第２の面ファスナー片１０ｂの係合子１１ｂを、切除或いは溶融等により無機能化してその接合力を弱め、上記切除縁の引き起こし操作によってコーナー部片１８を起立し易くしている。
【００３０】
また、上記コーナー部片１８は、上記網戸枠１の両枠材２，３に対向する部位に、裏面側に突出する若干のリブ１８ｄを設けて、そのリブ１８ｄと枠材２，３との間を指先が挿入できない間隔にし、上記枠材２，３の交差部に対向する隅部１８ａを除いて指先の挿入間隔をなくすことにより、みだりにコーナー部片１８の引き起こし操作がないことが望ましく、更に、該コーナー部片１８の表面で枠材２，３から離れている周辺部１８ｃにおいては、角部を面取りして他物に引っ掛かるような構成を備えないことが望まれる。
【符号の説明】
【００３１】
１      網戸枠
２，３    枠材
４，５    本体部
６ａ，７ａ    平面部
６，７    延出部
８      固定用突条
１０ａ    第１の面ファスナー片
１０ｂ    第２の面ファスナー片
１１ａ，１１ｂ    係合子
１２      基布
１２ａ    連結代
１３      枠付きネット
１４      ネット
１５      ネット枠
１６      補強シート
１８      コーナー部片
１８ａ    隅部
【図１】
0003216601.tif 000003
【図２】
0003216601.tif 000004
【図３】
0003216601.tif 000005
【図４】
0003216601.tif 000006
【図５】
0003216601.tif 000007